(57)【要約】【課題】仮想キーボードを目視することなく、キー入力を容易に行うことができる情報処理装置を提供する。【解決手段】複数のキーで構成される仮想キーボードを表示する表示部と、表示部の上に設けられるタッチセンサ部と、を有する表示入力部を備え、仮想キーボードを入力手段として利用する情報処理装置において、表示部の表示画面上において、複数のキーのうちの予め定められる４つのキーの表示領域に突起が設けられる。【選択図】図１
2012243153.tif 000002
【特許請求の範囲】
【請求項１】
複数のキーで構成される仮想キーボードを表示する表示部と、前記表示部の上に設けられるタッチセンサ部と、を有する表示入力部を備え、
前記仮想キーボードを入力手段として利用する情報処理装置において、
前記表示部の表示画面上において、前記複数のキーのうちの予め定められる４つのキーの表示領域に突起が設けられることを特徴とする情報処理装置。
【請求項２】
前記表示画面上に設けられる透光性フィルムをさらに備え、
前記透光性フィルムは少なくとも前記表示画面上の前記４つのキーの表示領域を覆い、
前記透光性フィルムには、前記４つのキーの各表示領域と重なる領域のうち、一部領域に第１の開口が設けられるとともに、前記一部領域以外の領域に前記突起が設けられることを特徴とする請求項１に記載の情報処理装置。
【請求項３】
前記透光性フィルムは、前記表示画面上の前記４つのキーを含むキー列の表示領域又は前記仮想キーボードの表示領域を覆い、
前記透光性フィルムには、前記複数のキーのうちの前記４つのキー以外のキーの各表示領域と重なる領域に第２の開口がさらに設けられることを特徴とする請求項２に記載の情報処理装置。
【請求項４】
前記透光性フィルムは前記表示画面全体を覆い、
前記透光性フィルムには、前記複数のキーのうちの前記４つのキー以外のキーの各表示領域と重なる領域に第２の開口がさらに設けられるとともに、前記仮想キーボードの表示領域以外の表示領域と重なる領域に第３の開口がさらに設けられることを特徴とする請求項２又は請求項３に記載の情報処理装置。
【請求項５】
前記透光性フィルムは前記表示画面に対して着脱可能であることを特徴とする請求項２〜４のいずれかに記載の情報処理装置。
【請求項６】
前記透光性フィルムは絶縁性材料で形成されることを特徴とする請求項２〜５のいずれかに記載の情報処理装置。
【請求項７】
前記複数のキーはＱＷＥＲＴＹ配列しており、
前記予め定められる４つのキーは、「Ａ」キー、「Ｆ」キー、「Ｊ」キー、及びリターンキーであることを特徴とする請求項１〜６のいずれかに記載の情報処理装置。
【発明の詳細な説明】
【技術分野】
【０００１】
本発明は、入力手段として仮想キーボードを有する情報処理装置に関する。
【背景技術】
【０００２】
一般に、パーソナルコンピュータなどの情報処置装置のキーボードにキー入力をするとき、熟練したユーザであれば、キーボードを目視することなくキー入力を行う所謂ブラインドタッチと呼ばれるキー入力を行うことができる。このキーボードには、通常、予め定められたキーに突起が設けられている。ユーザは、この突起を認識することにより、突起が設けられたキーをブラインドタッチによりキー入力を行う際の基準となる指の配置（所謂、ホームポジション）として認識し、キーボードと指の位置のずれを抑えている。
【０００３】
また、近年では、液晶ディスプレイの表面画面をユーザが直接に触れることにより入力操作を行うことができるタブレット型パーソナルコンピュータやスマートフォンなどの情報処理装置が多く利用されている。このような情報処理装置では、特許文献１や特許文献２のように、入力手段として仮想キーボードを利用することができる。
【先行技術文献】
【特許文献】
【０００４】
【特許文献１】特開２００５−３０１３２２号公報
【特許文献２】特開２００３−０６７０９８号公報
【特許文献３】特開２００４−２２０５３６号公報
【特許文献４】特開平０９−２１８７３８号公報
【特許文献５】特開平０６−３３２６０２号公報
【発明の概要】
【発明が解決しようとする課題】
【０００５】
しかしながら、仮想キーボードでは、ユーザが仮想キーボードを目視することなくホームポジションとなるキーを認識することは難しいため、仮想キーボードから基準となる両手の指の位置がずれ易い。そのため、ユーザがブラインドタッチでキー入力を行うことが困難であった。
【０００６】
たとえば、特許文献１では、携帯電話機の表示画面上に表示された仮想キーボードを入力装置として利用しているが、仮想キーボードを目視することなく、ホームポジションとなるキーを認識することはできないので、ブラインドタッチでキー入力することは難しい。また、特許文献２では、仮想キーボードの「Ｆ」キー及び「Ｊ」キーの表示色を変えることにより、ホームポジションとなるキーが認識できるようにしているが、キー入力の際には仮想キーボードを目視する必要がある。
【０００７】
また、仮想キーボードでは、表示画面の大きさに応じて、各キーの表示領域の間隔が異なる。そのため、従来のキーボードのようにホームポジションとなるキーが２つしかないと各キーの表示領域の間隔が認識できないため、所望のキーをタッチ入力するためにはホームポジションとなるキーから指をどの程度動かせばよいかわからない。従って、ブラインドタッチでキー入力を行うことはさらに難しくなっている。
【０００８】
これに対して、特許文献３〜５のように、補助具を用いてキー入力をし易くする方法もある。たとえば、特許文献３では、指の接触乃至近接を検出するセンサと各キーの押下を検出するセンサとを設けたキーボードを入力装置として利用し、表示画面でのキーボード表示の上に、キーを操作する指の位置と操作状況を合成表示している。また、特許文献４では、携帯性の高いフレキシブルなキーボードを接続することにより、仮想キーボードを利用することなく、キー入力ができるようにしている。また、特許文献５では、仮想キーボードの表示領域に突起付きキーボード入力補助部を置くことによってブラインドタッチができるようにしている。しかしながら、特許文献３〜５では、情報処理装置にキー入力を行うとき、常に、キー入力するための補助具を用意しておく必要があるので、不便である。
【０００９】
本発明は、上記の問題を鑑みてなされたものであり、その目的は、仮想キーボードを目視することなく、キー入力を容易に行うことができる情報処理装置を提供することを目的とする。
【課題を解決するための手段】
【００１０】
上記目的を達成するために本発明の情報処理装置は、複数のキーで構成される仮想キーボードを表示する表示部と、前記表示部の上に設けられるタッチセンサ部と、を有する表示入力部を備え、前記仮想キーボードを入力手段として利用する情報処理装置において、前記表示部の表示画面上において、前記複数のキーのうちの予め定められる４つのキーの表示領域に突起が設けられる。
【００１１】
上記構成によれば、仮想キーボードが表示される表示画面上の予め定められる４つのキーの表示領域に突起が設けられる。そのため、ユーザは、その突起に触れることにより、ブラインドタッチでキー入力を行うときの両手の指の基準位置（ホームポジション）として、それら４つのキーの表示位置を認識し、仮想キーボードの各キーの表示位置に対する両手の指の基準位置のずれを抑えたり修正したりすることができる。さらに、ホームポジションとして４つのキーの表示位置から、仮想キーボードを構成する複数のキーの表示位置の間隔も認識することもできる。従って、仮想キーボードを目視することなく、キー入力を容易に行うことができる。
【００１２】
上記構成において、前記表示画面上に設けられる透光性フィルムをさらに備え、前記透光性フィルムは少なくとも前記表示画面上の前記４つのキーの表示領域を覆い、前記透光性フィルムには、前記４つのキーの各表示領域と重なる領域のうち、一部領域に第１の開口が設けられるとともに、前記一部領域以外の領域に前記突起が設けられてもよい。
【００１３】
また、上記構成において、前記透光性フィルムは、前記表示画面上の前記４つのキーを含むキー列の表示領域又は前記仮想キーボードの表示領域を覆い、前記透光性フィルムには、前記複数のキーのうちの前記４つのキー以外のキーの各表示領域と重なる領域に第２の開口がさらに設けられてもよい。
【００１４】
また、上記構成において、前記透光性フィルムは前記表示画面全体を覆い、前記透光性フィルムには、前記複数のキーのうちの前記４つのキー以外のキーの各表示領域と重なる領域に第２の開口がさらに設けられるとともに、前記仮想キーボードの表示領域以外の表示領域と重なる領域に第３の開口がさらに設けられてもよい。
【００１５】
また、上記構成において、前記透光性フィルムは前記表示画面に対して着脱可能であってもよいし、前記透光性フィルムは絶縁性材料で形成されてもよい。さらに、前記複数のキーはＱＷＥＲＴＹ配列しており、前記予め定められる４つのキーは、「Ａ」キー、「Ｆ」キー、「Ｊ」キー、及びリターンキーであってもよい。
【発明の効果】
【００１６】
本発明によれば、仮想キーボードが表示される表示画面上の予め定められる４つのキーの表示領域に突起が設けられる。そのため、ユーザは、その突起に触れることにより、ブラインドタッチでキー入力を行うときの両手の指の基準位置（ホームポジション）として、それら４つのキーの表示位置を認識し、仮想キーボードの各キーの表示位置に対する両手の指の基準位置のずれを抑えたり修正したりすることができる。さらに、ホームポジションとして４つのキーの表示位置から、仮想キーボードを構成する複数のキーの表示位置の間隔も認識することもできる。従って、仮想キーボードを目視することなく、キー入力を容易に行うことができる。
【図面の簡単な説明】
【００１７】
【図１】第１実施形態に係る情報処理装置の正面図である。
【図２】第１実施形態に係る情報処理装置のＸ−Ｘ断面図である。
【図３】第１実施形態における装置本体の構成図である。
【図４】仮想キーボードが表示された表示画面を示す図である。
【図５】第１実施形態における透光性フィルムの構成図である。
【図６】第２実施形態に係る情報処理装置の正面図である。
【図７】第２実施形態における透光性フィルムの構成図である。
【図８】第３実施形態に係る情報処理装置の正面図である。
【図９】第３実施形態における透光性フィルムの構成図である。
【図１０】第４実施形態に係る情報処理装置の正面図である。
【図１１】第４実施形態に係る情報処理装置のＹ−Ｙ断面図である。
【発明を実施するための形態】
【００１８】
以下に本発明の実施形態について図面を参照して説明する。
＜第１実施形態＞
【００１９】
図１は、第１実施形態に係る情報処理装置の正面図である。また、図２は、第１実施形態に係る情報処理装置のＸ−Ｘ断面図である。第１実施形態に係るタブレット型端末装置１（情報処理装置）は、タブレット型パーソナルコンピュータやスマートフォンなどの情報処理装置である。タブレット型端末装置１は、装置本体１０と、透光性フィルム２０ａと、を備えている。図３は、第１実施形態における装置本体の構成図である。装置本体１０は、表示入力部１１と、筐体１２と、制御部１３と、メモリ１４と、通信部１５と、を有している。
【００２０】
表示入力部１１は、図２に示すように、タッチパネル１１ａ（タッチセンサ部）と、表示パネル１１ｂ（表示部）と、を有している。タッチパネル１１ａは、ユーザがタッチ入力するための入力ユニットであり、透光性を有し、表示パネル１１ｂの表面に設けられている。本実施形態では、静電容量方式のタッチパネル１１ａを利用しているが、これに限定されず、抵抗膜方式などの他の方式のタッチパネル１１ａを利用してもよい。また、表示パネル１１ｂは、たとえば液晶ディスプレイなどの表示ユニットであり、メモリ１４に記憶されたコンテンツなどの映像表示を行う。
【００２１】
また、表示パネル１１ｂは、表示画面１１１の一部領域に仮想キーボード１１２を表示することができる。図４は、仮想キーボードが表示された表示画面を示す図である。ユーザにより仮想キーボード１１２を利用する旨のタッチ入力がなされると、表示パネル１１ｂは、図４に示すように、表示画面１１１の下部領域に仮想キーボード１１２を表示する。この仮想キーボード１１２は、たとえばＱＷＥＲＴＹ配列した複数のキーで構成されている。
【００２２】
なお、ＱＷＥＲＴＹ配列とは、一般のパーソナルコンピュータのキーボードなどで採用されているキー配列である。ＱＷＥＲＴＹ配列では、アルファベットキーの配列が最上段のキー列の左端から、「Ｑ」キー、「Ｗ」キー、「Ｅ」キー、「Ｒ」キー、「Ｔ」キー、「Ｙ」キーの順で並んでいる。また、上から２段目のキー列は、ブラインドタッチで入力するときの指の基準位置（以下、ホームポジションと呼ぶ。）として一般に設定される「Ｆ」キー１１２ｂ及び「Ｊ」キー１１２ｃを含んでいる。また、その左端には「Ａ」キー１１２ａが配され、右端にはリターンキー１１２ｄが配されている。
【００２３】
制御部１３は、メモリ１４に記憶された制御情報やプログラムを利用して装置本体１０の各部を制御している。また、メモリ１４は、不揮発性の記憶媒体であり、制御部１３が利用する制御情報及びプログラムや、表示入力部１１や音声出力部１６にて再生出力する様々なコンテンツ、通信部１５にて送受信する情報などを格納している。また、通信部１５は、内蔵のアンテナ１５１を通じて外部と無線通信するための通信ユニットである。また、音声出力部１６は、メモリ１４に記憶されたコンテンツなどの音声出力を行うためのスピーカである。
【００２４】
次に、透光性フィルム２０ａについて説明する。図５は、第１実施形態における透光性フィルムの構成図である。透光性フィルム２０ａは、表示入力部１１の表示画面１１１全体を覆うように、装置本体１０に設けられている。また、透光性フィルム２０ａには、表示入力部１１の表示画面１１１に表示される複数のキーのうちの予め定められる４つのキー（「Ａ」キー１１２ａ、「Ｆ」キー１１２ｂ、「Ｊ」キー１１２ｃ、リターンキー１１２ｄ）の表示領域と重なる各領域に突起３０が設けられている。
【００２５】
こうすると、ユーザは、その突起３０に触れることにより、ブラインドタッチでキー入力を行うときの両手の指の基準位置（ホームポジション）として、それら４つのキー１１２ａ〜１１２ｄの表示位置を認識し、仮想キーボード１１２の各キーの表示位置に対する両手の指の基準位置のずれを抑えたり修正したりすることができる。さらに、ホームポジションとして４つのキーの表示位置から、仮想キーボード１１２を構成する複数のキーの表示位置の間隔も認識することもできる。従って、仮想キーボード１１２を目視することなく、キー入力を容易に行うことができる。
【００２６】
さらに、透光性フィルム２０ａには、予め定められる４つのキー（「Ａ」キー１１２ａ、「Ｆ」キー１１２ｂ、「Ｊ」キー１１２ｃ、リターンキー１１２ｄ）の表示領域と重なる各領域のうちの一部領域（図１では各キーの上部表示領域と重なる各領域）に第１の開口２１が設けられるとともに、その一部領域以外の領域（図１では各キーの下部表示領域と重なる領域）に突起３０が設けられている。
【００２７】
こうすれば、ユーザは、その突起３０に触れることにより、ブラインドタッチでキー入力を行うときの両手の指の基準位置（ホームポジション）として、それら４つのキー１１２ａ〜１１２ｄの表示位置を認識し、仮想キーボード１１２の各キーの表示位置に対する両手の指の基準位置のずれを抑えたり修正したりすることができる。さらに、ホームポジションとして４つのキー１１２ａ〜１１２ｄの表示位置を認識できるので、仮想キーボード１１２を構成する複数のキーの表示位置の間隔も認識することができる。従って、仮想キーボード１１２を目視することなく、キー入力を容易に行うことができる。
【００２８】
また、透光性フィルム２０ａは、ユーザのタッチ入力に対する検出感度が低下するような材料（たとえば、絶縁性材料など）で形成されている。或いは、ユーザのタッチ入力に対する検出感度が低下するように、透光性フィルム２０ａの厚さを設定してもよい。そのため、表示画面１１１上の表示領域において、透光性フィルム２０ａで覆われている領域ではユーザのタッチ入力に対する検出感度が低下するため、ユーザが触れてもタッチ入力が検出されないようになっている。従って、ユーザがホームポジションとなる入力キー（「Ａ」キー１１２ａ、「Ｆ」キー１１２ｂ、「Ｊ」キー１１２ｃ、リターンキー１１２ｄ）に指をおいたとしても、突起３０が形成された下部領域のみに触れていれば、それらのキーのタッチ入力が検出されることはない。従って、そのキーが誤って入力されるおそれがない。また、それらのキーのタッチ入力をしたい場合には、第１の開口２１を通じて各キーの上部表示領域を指で触れればよい。
【００２９】
また、透光性フィルム２０ａには、予め定められる４つのキー１１２ａ〜１１２ｄ以外のキーの表示領域と重なる各領域に第２の開口２２が設けられている。言い換えると、予め定められる４つのキー１１２ａ〜１１２ｄ以外のキーの表示領域は透光性フィルム２０ａに覆われていない。そのため、これらのキーの表示領域に指を置けば、タッチパネル１１ａがそのキーのタッチ入力を検知する。従って、ユーザによるこれらのキー入力が透光性フィルム２０ａに妨げられることはない。
【００３０】
また、透光性フィルム２０ａには、表示画面１１１上の仮想キーボード１１２の表示領域以外の表示領域１１３と重なる領域に第３の開口２２が設けられている。言い換えると、仮想キーボード１１２の表示領域以外の表示領域１１３は透光性フィルム２０ａに覆われていない。そのため、仮想キーボード１１２の表示領域以外の表示領域１１３においても、ユーザによるタッチ入力が透光性フィルム２０ａにより妨げられることはない。
【００３１】
また、透光性フィルム２０ａは装置本体１０に対して着脱可能に設けられている。そのため、仮想キーボード１１２を利用しないときには、表示画面１１１から透光性フィルム２０ａを外して使用することができる。こうすると、表示画面１１１の下部でのタッチ入力が透光性フィルム２０ａにより妨げられることがない。従って、ユーザは、仮想キーボード１１２を利用するときには、ホームポジションとなるキー（すなわち、予め定められる４つのキー１１２ａ〜１１２ｄ）の表示領域が認識できるように表示画面１１１上に透光性フィルム２０ａを貼り付ければよい。また、仮想キーボード１１２を利用しないときには、表示画面１１１から透光性フィルム２０ａを外せば、透光性フィルム２０ａに邪魔されることなく、表示画面１１１の全表示領域でタッチ入力をすることができる。
【００３２】
なお、第１実施形態では、透光性フィルム２０ａが表示画面１１１全体を覆っているが、仮想キーボード１１２が表示される領域のみを覆うようにしてもよい。
＜第２実施形態＞
【００３３】
図６は、第２実施形態に係る情報処理装置の正面図である。また、図７は、第２実施形態における透光性フィルムの構成図である。図６に示すように、第２実施形態に係るタブレット型端末装置１ｂ（情報処理装置）では、透光性フィルム２０ｂが、表示画面１１１上の全表示領域のうち、仮想キーボード１１２の表示領域のみを覆うように設けられている。そのため、透光性フィルム２０ｂでは、表示画面１１１上の仮想キーボード１１２の表示領域以外の表示領域と重なる領域に第３の開口２２は設けられていない。それ以外の構成は、第１実施形態と同様である。なお、第２実施形態において、第１実施形態と共通する部分には同一の符号を付し、その説明は省略する。
【００３４】
図７に示すように、透光性フィルム２０ｂには、予め定められる４つのキー（「Ａ」キー１１２ａ、「Ｆ」キー１１２ｂ、「Ｊ」キー１１２ｃ、リターンキー１１２ｄ）の表示領域と重なる各領域のうちの一部領域（図６では各キーの上部表示領域と重なる各領域）に第１の開口２１が設けられるとともに、その一部領域以外の領域（図６では各キーの下部表示領域と重なる領域）に突起３０が設けられている。また、透光性フィルム２０ｂには、予め定められる４つのキー１１２ａ〜１１２ｄ以外のキーの表示領域と重なる各領域に第２の開口２２が設けられている。こうすれば、表示画面１１１上の透光性フィルム２０が覆う表示領域をより少なくすることができる。
【００３５】
また、透光性フィルム２０は、表示画面１１１上において、予め定められる４つのキー（すなわちホームポジションとなる「Ａ」キー１１２ａ、「Ｆ」キー１１２ｂ、「Ｊ」キー１１２ｃ、リターンキー１１２ｄ）を含むキー列の表示領域のみを覆うようにしてもよい。
＜第３実施形態＞
【００３６】
図８は、第３実施形態に係る情報処理装置の正面図である。また、図９は、第３実施形態における透光性フィルムの構成図である。図８に示すように、第３実施形態に係るタブレット型端末装置１ｃ（情報処理装置）では、透光性フィルム２０ｃが、表示画面１１１上の全表示領域のうち、ホームポジションとなる「Ａ」キー１１２ａ、「Ｆ」キー１１２ｂ、「Ｊ」キー１１２ｃ、リターンキー１１２ｄを含むキー列の表示領域のみを覆うように設けられている。そのため、透光性フィルム２０ｃでは、ホームポジションとなる４つのキー１１２ａ〜１１２ｄを含むキー列以外のキーの表示領域に第２の開口２２は設けられておらず、表示画面１１１上の仮想キーボード１１２の表示領域以外の表示領域と重なる領域に第３の開口２２も設けられていない。それ以外の構成は、第１実施形態や第２実施形態と同様である。なお、第３実施形態において、第１実施形態や第２実施形態と共通する部分には同一の符号を付し、その説明は省略する。
【００３７】
図９に示すように、透光性フィルム２０ｃでは、予め定められる４つのキー（「Ａ」キー１１２ａ、「Ｆ」キー１１２ｂ、「Ｊ」キー１１２ｃ、リターンキー１１２ｄ）の表示領域と重なる各領域のうちの一部領域（図６では各キーの上部表示領域と重なる各領域）に第１の開口２１が設けられるとともに、その一部領域以外の領域（図６では各キーの下部表示領域と重なる領域）に突起３０が設けられている。また、透光性フィルム２０ｃでは、ホームポジションとなる「Ａ」キー１１２ａ、「Ｆ」キー１１２ｂ、「Ｊ」キー１１２ｃ、リターンキー１１２ｄを含むキー列のうちのホームポジションとなる４つのキー１１２ａ〜１１２ｄ以外のキーの表示領域と重なる各領域にのみ第２の開口２２が設けられている。こうすれば、表示画面１１１上の透光性フィルム２０ｃが覆う表示領域をさらに少なくすることができる。
【００３８】
なお、上述の第１〜３実施形態では、表示入力部１１の表示画面１１１に透光性フィルム２０を貼り付けているが、これに代えて、箱形又はコの字型に形成した透光性フィルム２０を装置本体１０の表示画面１１１側に嵌め込むように設けてもよい。
【００３９】
また、上述の第１〜３実施形態では、表示入力部１１の表示画面１１１上に設けられた透光性フィルム２０に突起３０を設けているが、タッチパネル１１ａに感圧式のタッチパネル（たとえば、抵抗膜方式のタッチパネル）を利用する場合には、表示画面１１１の表面に突起３０を直接に設けてもよい。
＜第４実施形態＞
【００４０】
図１０は、第４実施形態に係る情報処理装置の正面図である。また、図１１は、第４実施形態に係る情報処理装置のＹ−Ｙ断面図である。図８に示すように、第４実施形態に係るタブレット型端末装置１ｄ（情報処理装置）では、表示入力部１１の表示画面１１１に透光性フィルム２０が設けられておらず、ホームポジションとなる４つのキー１１２ａ〜１１２ｄを認識するための突起３０ａが表示画面１１１の表面に直接に設けられている。それ以外の構成は、第１〜第３実施形態と同様である。なお、第４実施形態において、第１〜第３実施形態と共通する部分には同一の符号を付し、その説明は省略する。
【００４１】
第４実施形態に係るタブレット型端末装置１ｄ（情報処理装置）では、表示入力部１１は、抵抗膜方式のタッチパネル１１ａと、表示パネル１１ｂと、を有している。また、タッチパネル１１ａの表面には、表示入力部１１の表示画面１１１に表示される複数のキーのうちの予め定められる４つのキー（「Ａ」キー１１２ａ、「Ｆ」キー１１２ｂ、「Ｊ」キー１１２ｃ、リターンキー１１２ｄ）の表示領域と重なる各領域の下側に突起３０ａが設けられている。
【００４２】
こうすると、ユーザは、その突起３０ａに触れることにより、ブラインドタッチでキー入力を行うときの両手の指の基準位置（ホームポジション）として、それら４つのキー１１２ａ〜１１２ｄの表示位置を認識し、仮想キーボード１１２の各キーの表示位置に対する両手の指の基準位置のずれを抑えたり修正したりすることができる。さらに、ホームポジションとして４つのキー１１２ａ〜１１２ｄの表示位置から、仮想キーボード１１２を構成する複数のキーの表示位置の間隔も認識することもできる。従って、仮想キーボード１１２を目視することなく、キー入力を容易に行うことができる。
【００４３】
また、タッチパネル１１ａは抵抗膜方式であるため、ホームポジションとなるキーの上に指を置いただけではそのキーのタッチ入力が検知されず、そのキーを予め定めた圧力以上で押下した場合にのみタッチ入力が検知される。従って、ホームポジションとなるキーに指を置いたとしてもそのキーが誤って入力されるおそれがない。
【００４４】
なお、上述の第４実施形態では、タッチパネル１１ａの表面に突起３０ａを設けているが、表示パネル１１ｂの表面に突起３０を設けるようにしてもよい。タッチパネル１１ａに或る程度の可撓性があれば、突起３０と重なる箇所に凸部ができるので、ユーザはその凸部によりホームポジションとなるキーを認識することができる。あるいは、この場合、タッチパネル１１ａにおいて、表示パネル１１ｂに設けられた突起３０と重なる部分に、この突起３０が貫通する開口を設けるようにしてもよい。このようにしても、同様に、ユーザは開口から突出する突起３０により、ホームポジションとなるキーを認識することができる。
【００４５】
また、上述の第１〜第４実施形態では、仮想キーボード１１２を構成する各キーがＱＷＥＲＴＹ配列しているとしたが、特に限定しない。各キーは、ＤＶＯＲＡＫ配列していてもよいし、ユーザが任意に定めた配列をしていてもよい。
【００４６】
以上、本発明について実施形態をもとに説明した。この実施形態は例示であり、その各構成要素や各処理の組み合わせに色々な変形例が可能であり、本発明の範囲にあることは当業者に理解されるところである。
【産業上の利用可能性】
【００４７】
本発明は、タブレット型パーソナルコンピュータやスマートフォンなどの情報処理装置に利用することができる。
【符号の説明】
【００４８】
１      タブレット型端末装置（情報処理装置）
１０      装置本体
１１      表示入力部
１１ａ      タッチパネル（タッチセンサ部）
１１ｂ      表示パネル（表示部）
１１１      表示画面
１１２      仮想キーボード
１１２ａ      「Ａ」キー
１１２ｂ      「Ｆ」キー
１１２ｃ      「Ｊ」キー
１１２ｄ      リターンキー
１１３      仮想キーボード以外の表示領域
１２      筐体
１３      制御部
１４      メモリ
１５      通信部
１５１      アンテナ
１６      音声出力部
２０      透光性フィルム
２１      第１の開口
２２      第２の開口
２３      第３の開口
３０、３０ａ      突起
【図１】
2012243153.tif 000003
【図２】
2012243153.tif 000004
【図３】
2012243153.tif 000005
【図４】
2012243153.tif 000006
【図５】
2012243153.tif 000007
【図６】
2012243153.tif 000008
【図７】
2012243153.tif 000009
【図８】
2012243153.tif 000010
【図９】
2012243153.tif 000011
【図１０】
2012243153.tif 000012
【図１１】
2012243153.tif 000013